【事件の表示】
　平成８年特許願第３０４１８７号「アルミニウム−セラミックス複合部材のエッチング処理方法及びエッチング処理して得た電子回路基板」拒絶査定不服審判事件〔平成１０年５月１９日出願公開、特開平１０−１３０８７１〕について、次のとおり審決する。
【結　論】
　本件審判の請求は、成り立たない。
【理　由】
Ｉ．手続の経緯・本願発明
　本願は、平成８年１０月３１日の出願であって、平成１８年２月１０日付で拒絶査定がなされ、これに対し、平成１８年３月２４日に拒絶査定に対する審判請求がなされるとともに、平成１８年４月２４日付で手続補正がなされたものである。
　
II．平成１８年４月２４日付の手続補正についての補正却下の決定
［補正却下の決定の結論]
　平成１８年４月２４日付の手続補正を却下する。
　
［理由］
１．補正後の本願発明
　本件補正により、特許請求の範囲の請求項１は、次のとおりとなった。
　「【請求項１】　過酸化水素水の添加により塩化第二鉄溶液のＯＲＰ値を４９５以上の範囲に維持された、塩酸と塩化第二鉄と水と過酸化水素水を含むアルミニウムエッチング液を用いてアルミニウム−セラミックス複合部材のアルミニウム板またはアルミニウム合金板をエッチング処理して電子回路基板を得ることを特徴とするアルミニウム−セラミックス複合部材のエッチング処理方法。」（以下、「本願補正発明１」という。）
　
　上記補正は、補正前の請求項１の「過酸化水素」を「過酸化水素水」に、「アルミニウムエッチング液」を「塩酸と塩化第二鉄と水と過酸化水素水を含むアルミニウムエッチング液」に補正するものであって、過酸化水素、及び、アルミニウムエッチング液をそれぞれさらに限定するものであるから、特許法第１７条の２第４項第２号に規定する特許請求の範囲の減縮を目的としたものに該当する。
　
　次に、本願補正発明１が、特許出願の際独立して特許を受けることができるものであるか否か、すなわち特許法第１７条の２第５項で準用する同法第１２６条第５項の規定に適合するか否かについて、以下検討する。
　
２．引用刊行物とその記載事項
　拒絶の理由に引用した本願の出願前に頒布された特開平８−２５９３４２号公報（以下、「引用例１」という。）、及び、特開平４−３３７０８９号公報（以下、「引用例２」という。）には、次の事項が記載されている。
（１）引用例１：特開平８−２５９３４２号公報
（１ａ）「【請求項１】　・・・セラミックス基板の表裏両面に溶湯から凝固した金属板を接合し、金属−セラミックス複合部材と成す接合工程と；・・・次いでエッチング液によってセラミックス基板の片面上に所望の金属回路パターンを、裏面には金属放熱板を形成するエッチング工程と；・・・から成ることを特徴とするセラミックス電子回路基板の製造方法。」（特許請求の範囲の請求項１）
（１ｂ）「【請求項２】　・・・前記金属はアルミニウムまたはアルミニウムを主成分とする合金である請求項１記載のセラミックス電子回路基板の製造方法。」（特許請求の範囲の請求項２）
（１ｃ）「エッチング処理して、所望の回路を形成する（エッチング工程）。この場合、回路端面が、凹凸少なく且つスカート状を呈しないものとするために適正なエッチング液として塩化第二鉄３０〜４０％、塩酸５〜１５％、残部水からなる組成のエッチング液を用いる。」（【００１６】）
　
（２）引用例２：特開平４−３３７０８９号公報
（２ａ）「【請求項１】　使用ずみ塩化第２鉄エッチング組成物を・・・導入し、そして酸素ガスを・・・導入し；酸素ガスと前記塩化第２鉄組成物との間の接触を・・・少なくとも約２秒間維持し、これにより塩化第２鉄エッチング組成物を再生することからなる、塩化第２鉄エッチング組成物の再生方法。」（特許請求の範囲の請求項１）
（２ｂ）「【背景技術】　塩化第２鉄組成物は鉄鋼、銅およびアルミニウムなどの各種金属をエッチングするために産業的に専ら用いられている。・・・
塩化第２鉄組成物の活性・・・の低下または消失は・・・第２鉄イオンがエッチング反応自体により生じる・・・第１鉄イオンへと還元されることによるものである。・・・
塩化第２鉄溶液を化学的に再生するために各種の提案がなされている。このような提案には・・・過酸化水素・・・のような化学的酸化剤を含んでいる。」（【０００３】〜【０００６】）
（２ｃ）「エッチング液はエッチング液槽１から・・・導管３を経由して取り出される。少量のテスト用試料を・・・導管３から取り出すことができ、ｐＨ、酸化−還元電圧（ＯＲＰ）および組成物の比重のようなパラメーターを・・・測定する。・・・効果的であるエッチング液の・・・酸化−還元電圧は約５５０〜約５７０ミリボルト（mV）であ・・・る。」（【００１２】、【００１３】）
（２ｄ）「ＯＲＰコントローラーは・・・酸素ガスの供給をオンおよび／またはオフとすることができ、これにより再生の程度または量がコントロールされる。典型的に、ＯＲＰはある設定点または固定値にコントロールされ、これによりエッチング速度が安定化される。」（【００１５】）
（２ｅ）「本発明に従って再生をされる好ましい組成物は、エッチング前に約１７５〜約２２５ｇ／リットルの第２鉄イオンと、０〜約１０ｇ／リットルの第１鉄イオンとを元来の組成で有している。またこのような組成物は典型的に約０．１〜３モル（約５〜１００ｇ／リットル）のＨＣｌを含んでいる。本発明の操作系中のエッチング液は、操作系中への酸素注入による連続的再生中ほぼ５５０〜５６５mVの設定点に維持される。これは１２５〜約１５０ｇ／リットルの第２鉄イオン濃度と５０〜約８０ｇ／リットルの第１鉄イオン濃度とに相当する。」（【００２１】）
　　
３．当審の判断
３−１．引用例１に記載の発明
　引用例１の摘記事項（１ａ）によれば、セラミックス基板の表裏両面に金属板を接合した金属−セラミックス複合部材をエッチング液を用いてエッチングすることにより、セラミックス基板の片面上に金属回路パターンを、裏面には金属放熱板を形成して、セラミックス電子回路基板を製造することが記載され、摘記事項（１ｂ）によれば、金属は、アルミニウム又はアルミニウムを主成分とする合金であることが記載されている。これらの記載によれば、セラミックス電子回路基板は、アルミニウム−セラミックス複合部材のアルミニウム板又はアルミニウム合金板をエッチング液によりエッチングして得らることが理解できるし、また、摘記事項（１ｃ）によれば、エッチング液は、塩化第二鉄、塩酸、水を含むことが記載されている。
　そこで、引用例１の摘記事項（１ａ）〜（１ｃ）の記載を総合すれば、引用例１には、「塩酸と塩化第二鉄と水を含むアルミニウムエッチング液を用いてアルミニウム−セラミックス複合部材のアルミニウム板又はアルミニウム合金板をエッチング処理してセラミックス電子回路基板を得るアルミニウム−セラミックス複合部材のエッチング処理方法。」（以下、「引用例１発明」という。）が記載されていることになる。
　
３−２．対比・判断
　本願補正発明１と引用例１発明とを対比すると、引用例１発明の「セラミックス電子回路基板」は、本願補正発明１の「電子回路基板」に相当するから、両者は、
　「塩酸と塩化第二鉄と水を含むアルミニウムエッチング液を用いてアルミニウム−セラミックス複合部材のアルミニウム板又はアルミニウム合金板をエッチング処理して電子回路基板を得るアルミニウム−セラミックス複合部材のエッチング処理方法。」で一致し、次の点で相違する。
　
相違点：本願発明１は、アルミニウムエッチング液が、さらに「過酸化水素水」を含み、「過酸化水素水の添加により塩化第二鉄溶液のＯＲＰ値を４９５以上の範囲に維持された」ものであるのに対し、引用例１発明は、アルミニウムエッチング液が、過酸化水素水を含まず、塩化第二鉄溶液のＯＲＰ値も不明である点
　
　上記相違点について検討する。
　引用例２の摘記事項（２ａ）によれば、使用ずみ塩化第二鉄エッチング組成物に、酸素ガスを接触させて、塩化第二鉄エッチング組成物を再生することが記載され、摘記事項（２ｅ）によれば、エッチング組成物は、エッチング前に、第二鉄イオンと、塩酸（ＨＣｌ）を含むことが、摘記事項（２ｃ）によれば、エッチング組成物のｐＨを測定することが、それぞれ記載され、ｐＨを測定するのであるから、エッチング組成物は水を含有する水溶液であることが理解できる。また、摘記事項（２ｂ）によれば、エッチング組成物は、アルミニウム等の金属エッチングに用いられること、エッチング組成物の活性の低下または消失は、第二鉄イオンがエッチング反応により、第一鉄イオンへと還元されることによるものであることが記載されている。すると、塩酸と塩化第二鉄と水を含むアルミニウム等の金属エッチング液の再生は、エッチング反応により生成した第一鉄イオン（塩化第一鉄）を、酸素ガスにより酸化して第二鉄イオン（塩化第二鉄）に再生することによりなされることが理解できる。
　さらに、摘記事項（２ｃ）によれば、エッチング液の酸化−還元電圧（ＯＲＰ）を測定すること、効果的である（すなわち、劣化していない）エッチング液の酸化−還元電圧は、５５０〜５７０ｍＶ（ＯＲＰ値５５０〜５７０）であることが記載され、摘記事項（２ｄ）によれば、ＯＲＰコントローラーは、酸素ガスの供給をオン及び／又はオフとすることができ、これにより再生の程度又は量がコントロールされて、エッチング速度が安定化されることが、摘記事項（２ｅ）によれば、操作系中のエッチング液は、操作系中への酸素注入による連続的再生中ほぼ５５０〜５６５mV（ＯＲＰ値５５０〜５６５）に維持されることが、それぞれ記載されている。これらの記載によれば、第一鉄イオンを第二鉄イオンに酸化するための酸素ガスは、測定したＯＲＰ（酸化−還元電圧）値に基づいて供給量が調整されるため、再生中のエッチング液のＯＲＰ値は、劣化していないエッチング液のＯＲＰ値である５５０〜５７０の範囲内に維持されて、エッチング速度が安定化されることが理解できる。
　そうであれば、塩酸と塩化第二鉄と水を含むアルミニウムエッチング液の再生は、酸素ガス（酸化剤）による第一鉄イオンの第二鉄イオンへの再生であって、エッチング液への酸素ガス（酸化剤）の供給量を調整して、エッチング液のＯＲＰ値を、劣化していないエッチング液のＯＲＰ値（５５０〜５７０）の範囲内に維持することによりなされるといえる。
　そして、摘記事項（２ｂ）によれば、酸化剤として過酸化水素も提案されていることが記載され、また、酸化剤である過酸化水素として過酸化水素水を用いて、第一鉄イオン（塩化第一鉄）を第二鉄イオン（塩化第二鉄）へ再生することにより、塩酸と塩化第二鉄と水を含む金属（銅）エッチング液を再生することも、例えば、次のとおり周知である。
　
　周知例１：特開昭５９−１５７２８３号公報
　「エッチングをすることにより、生じる第一鉄イオンを含む廃液・・・を・・・ろ別した後、ろ液に酸化剤を反応させて第二鉄イオンを含む溶液にもどし、再びエッチングに利用する方法。」（特許請求の範囲）、
　「塩酸酸性の塩化第二鉄を主成分とするエッチング液に銅張積層プリント基板を浸漬すると・・・銅はくが溶解し・・・」（２頁左上欄３〜６行）、
　「（４）式のように使用する酸化剤は・・・過酸化水素水がよい。２ＦｅＣｌ２＋Ｈ２Ｏ２＋２ＨＣｌ→２ＦｅＣｌ３＋２Ｈ２Ｏ・・・（４）」（２頁右下欄７〜９行）、
　「エッチング液とは塩化第二鉄の塩酸酸性溶液です。塩化第二鉄・六水和物・・・濃塩酸・・・水・・・を混合して溶解するとエッチング液ができる。」（３頁左上欄６〜９行）と記載されている。
　
　周知例２：特開昭４８−６７１３７号公報
　「銅エッチング溶液中に・・・生成した塩化第一鉄を酸化剤により塩化第二鉄に酸化し、該溶液を繰返して連続使用することを特徴とする銅エッチング溶液の再生方法。」（特許請求の範囲）、
　「塩化第一鉄の塩化第二鉄への酸化には・・・過酸化水素水は酸化力にすぐれ、過酸化水素自身の分解も早く・・・良好であつた。」（２頁右上欄１１〜１９行）
　「過酸化水素による反応は、２ＦｅＣｌ２＋２ＨＣｌ＋Ｈ２Ｏ２→２ＦｅＣｌ３＋２Ｈ２Ｏ・・・（４）」（２頁右下欄１６〜１７行）と、記載されている。
　
　してみると、塩酸と塩化第二鉄と水を含むアルミニウムエッチング液の再生を、エッチング液への過酸化水素水（酸化剤）の添加量を調整して、エッチング液のＯＲＰ値を、劣化していないエッチング液のＯＲＰ値（５５０〜５７０）の範囲内に維持することにより行うことは、引用例２に教示されているといえるし、エッチング液のＯＲＰ値は、塩化第二鉄溶液のＯＲＰ値ともいえるものである。
　そうすると、引用例１発明のエッチング処理方法において、アルミニウムエッチング液として、引用例２に教示されるような手段により再生したエッチング液を用いること、すなわち、アルミニウムエッチング液に過酸化水素水を添加して、塩酸と塩化第二鉄と水と過酸化水素水を含むエッチング液とし、過酸化水素水の添加により塩化第二鉄溶液のＯＲＰ値を引用例２に記載される５５０〜５７０を含む４９５以上の範囲に維持することは、当業者にとって格別困難なことではない。
　すると、上記相違点は、引用例２の記載、及び上記周知の事項から当業者が適宜なし得たことである。
　　
　そして、本願補正発明１の奏する効果も、引用例１、２の記載事項、及び上記周知の事項から予測することができる程度のものであって、格別顕著であるとは認められない。
　したがって、本願補正発明１は、引用例１、２に記載された発明及び上記周知の事項に基づいて当業者が容易に発明をすることができたものである。
　
４．むすび
　以上のとおりであるから、本願補正発明１は、特許法第２９条第２項の規定により、特許出願の際独立して特許を受けることができないものである。
　したがって、本件補正は、特許法第１７条の２第５項で準用する同法第１２６条第５項の規定に違反するものであるから、特許法第１５９条第１項の規定によって読み替えて準用する同法第５３条第１項の規定により却下されるべきものである。
　
III．本願発明について
１．本願発明
　平成１８年４月２４日付の手続補正は上記のとおり却下されたので、本願の請求項１、２に係る発明は、平成１８年１月２３日付の手続補正書により補正された明細書の特許請求の範囲の請求項１、２に記載された事項により特定されるものと認められるところ、そのうち請求項１に係る発明（以下、「本願発明１」という。）は、次のとおりである。
　「【請求項１】　過酸化水素の添加により塩化第二鉄溶液のＯＲＰ値を４９５以上の範囲に維持されたアルミニウムエッチング液を用いてアルミニウム−セラミックス複合部材のアルミニウム板またはアルミニウム合金板をエッチング処理して電子回路基板を得ることを特徴とするアルミニウム−セラミックス複合部材のエッチング処理方法。」
　
２．引用刊行物とその記載事項
　原査定の拒絶の理由に引用された引用例１、２とその主な記載事項は、前記「II．２．」に記載したとおりである。
　　　
３．当審の判断
　本願発明１を特定するために必要な事項を全て含み、さらに具体的に限定したものに相当する本願補正発明１は、前記「II．３．」に記載したとおり、引用例１、２に記載された発明、及び上記周知の事項に基づいて当業者が容易に発明をすることができたものであるから、本願発明１も同様な理由で、引用例１、２に記載された発明、及び上記周知の事項に基づいて当業者が容易に発明をすることができたものである。
　
４．むすび
　以上のとおり、本願発明１は、特許法第２９条第２項の規定により特許を受けることができないから、その余の発明について検討するまでもなく、本願は拒絶すべきものである。
　よって、結論のとおり審決する。